【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
画像データを構成する各画素の色材量データに対して、階調補正ＬＵＴを用いて階調補正処理を行う第１の階調補正処理手段と、
前記第１の階調補正処理手段によって補正された前記第１の階調補正処理後の色材量データと色材量の制限値とを比較する比較手段と、
前記比較手段による比較の結果、前記第１の階調補正処理後の色材量データが前記制限値よりも大きい場合、前記色材量データが該制限値以下になるように前記色材量データを削減する制御手段と、
前記制御手段によって削減された色材量データに対して、前記階調補正ＬＵＴの逆特性を持つＬＵＴを用いて階調補正処理を行う第２の階調補正処理手段と
を有することを特徴とする画像処理装置。
【請求項２】
前記第１の階調補正処理手段によって補正された前記第１の階調補正処理後の色材量データは、前記第１の階調補正処理後の各画素のＣ、Ｍ、Ｙ、Ｋの値を合計した値であることを特徴とする請求項１記載の画像処理装置。
【請求項３】
前記制御手段は、前記第１の階調補正処理後のＣ、Ｍ、Ｙ成分の所定割合をＫ成分で置換することで前記第１の階調補正処理後の色材量データを削減することを特徴とする請求項２記載の画像処理装置。
【請求項４】
さらに、前記第２の階調補正処理手段によって補正された色材量データに対して、前記階調補正ＬＵＴを用いて階調補正処理を行う第３の階調補正処理手段とを有することを特徴とする請求項１記載の画像処理装置。
【請求項５】
前記第１の階調補正処理手段における階調補正ＬＵＴは、前記画像データを構成する各画素の色材量データの値を小さくする下凸カーブの入出力特性をもつＬＵＴであることを特徴とする請求項１乃至４のいずれか一項に記載の画像処理装置。
【請求項６】
前記第２の階調補正処理手段における階調補正ＬＵＴは、前記画像データを構成する各画素の色材量データの値を大きくする上凸カーブの入出力特性をもつＬＵＴであることを特徴とする請求項1乃至５のいずれか一項に記載の画像処理装置。
【請求項７】
ＲＧＢ画像からＣＭＹＫ画像へ色変換処理を行う色変換処理手段と、
前記色変換処理手段によって色変換処理された後のＣＭＹＫ画像に対して、濃度調整処理を行う濃度調整処理手段とをさらに有し、
前記濃度調整処理手段によって調整された後の画像に対して、前記第１の階調補正処理手段を実行することを特徴とする請求項１に記載の画像処理装置。
【請求項８】
前記比較手段による比較の結果、前記第１の階調補正処理後の色材量データが前記制限値以下の場合、前記色材量データを削減する処理を行わないことを特徴とする請求項１に記載の画像処理装置。
【請求項９】
画像処理装置の第１の階調補正処理手段が、画像データを構成する各画素の色材量データに対して、階調補正ＬＵＴを用いて階調補正処理を行う第１の階調補正処理工程と、
画像処理装置の比較手段が、前記第１の階調補正処理工程によって補正された前記第１の階調補正処理後の色材量データと色材量の制限値とを比較する比較工程と、
画像処理装置の制御手段が、前記比較工程による比較の結果、前記第１の階調補正処理後の色材量データが前記制限値よりも大きい場合、前記色材量データが該制限値以下になるように前記色材量データを削減する制御工程と、
画像処理装置の第２の階調補正処理手段が、前記制御工程によって削減された色材量データに対して、前記階調補正ＬＵＴの逆特性を持つＬＵＴを用いて階調補正処理を行う第２の階調補正処理工程と
を有することを特徴とする画像処理方法。
【請求項１０】
第１の表色系で示された入力画像データを第２の表色系で示された出力画像データに変換する色変換テーブルを有する画像処理装置であって、
前記第１の表色系で示された入力画像データを前記第２の表色系で示された入力画像データに変換し、前記第２の表色系で示された入力画像データを構成する各画素の色材量データに対して、階調補正ＬＵＴを用いて階調補正処理を行う第１の階調補正処理手段と、
前記第１の階調補正処理手段によって補正された前記第１の階調補正処理の後の色材量データと色材量の制限値とを比較する比較手段と、
前記比較手段による比較の結果、前記第１の階調補正処理後の色材量データが前記制限値よりも大きい場合、前記色材量データが該制限値以下になるように前記色材量データを削減する制御手段と、
前記制御手段によって削減された色材量データに対して、前記階調補正ＬＵＴの逆特性を持つＬＵＴを用いて階調補正処理を行う第２の階調補正処理手段と、
前記第２の階調補正処理手段によって補正された階調補正処理後の色材量データを用いて、前記色変換テーブルを更新する更新手段と
を有することを特徴とする画像処理装置。
【請求項１１】
前記第１の階調補正処理手段における階調補正ＬＵＴは、前記画像データを構成する各画素の色材量データの値を小さくする下凸カーブの入出力特性をもつＬＵＴであることを特徴とする請求項１０に記載の画像処理装置。
【請求項１２】
前記第２の階調補正処理手段における階調補正ＬＵＴは、前記画像データを構成する各画素の色材量データの値を大きくする上凸カーブの入出力特性をもつＬＵＴであることを特徴とする請求項１０または１１に記載の画像処理装置。
【請求項１３】
第１の表色系で示された入力画像データを第２の表色系で示された出力画像データに変換する色変換テーブルを有する画像処理装置により実行される画像処理方法であって、
前記画像処理装置の第１の階調補正処理手段が、前記第１の表色系で示された入力画像データを前記第２の表色系で示された入力画像データに変換し、前記第２の表色系で示された入力画像データを構成する各画素の色材量データに対して、階調補正ＬＵＴを用いて階調補正処理を行う第１の階調補正処理工程と、
前記画像処理装置の比較手段が、前記第１の階調補正処理工程によって補正された前記第１の階調補正処理の後の色材量データと色材量の制限値とを比較する比較工程と、
前記画像処理装置の制御手段が、前記比較工程による比較の結果、前記第１の階調補正処理後の色材量データが前記制限値よりも大きい場合、前記色材量データが該制限値以下になるように前記色材量データを削減する制御工程と、
前記画像処理装置の第２の階調補正処理手段が、前記制御工程によって削減された色材量データに対して、前記階調補正ＬＵＴの逆特性を持つＬＵＴを用いて階調補正処理を行う第２の階調補正処理工程と、
前記画像処理装置の更新手段が、前記第２の階調補正処理工程によって補正された階調補正処理後の色材量データを用いて、前記色変換テーブルを更新する更新工程と
を有することを特徴とする画像処理方法。
【請求項１４】
請求項９または請求項１３に記載の画像処理方法の各工程をコンピュータにより実行させるためのプログラム。
【手続補正２】
【補正対象書類名】明細書
【補正対象項目名】発明の名称
【補正方法】変更
【補正の内容】
【発明の名称】画像処理装置及び画像処理方法、プログラム
【手続補正３】
【補正対象書類名】明細書
【補正対象項目名】０００９
【補正方法】変更
【補正の内容】
【０００９】
上記目的を達成するために本発明は以下の構成を備える。すなわち、本発明の第１の側面は、画像データを構成する各画素の色材量データに対して、階調補正ＬＵＴを用いて階調補正処理を行う第１の階調補正処理手段と、前記第１の階調補正処理手段によって補正された前記第１の階調補正処理後の色材量データと色材量の制限値とを比較する比較手段と、前記比較手段による比較の結果、前記第１の階調補正処理後の色材量データが前記制限値よりも大きい場合、前記色材量データが該制限値以下になるように前記色材量データを削減する制御手段と、前記制御手段によって削減された色材量データに対して、前記階調補正ＬＵＴの逆特性を持つＬＵＴを用いて階調補正処理を行う第２の階調補正処理手段とを有することを特徴とする画像処理装置にある。
【手続補正４】
【補正対象書類名】明細書
【補正対象項目名】００１０
【補正方法】変更
【補正の内容】
【００１０】
あるいは、本発明の第２の側面は、第１の表色系で示された入力画像データを第２の表色系で示された出力画像データに変換する色変換テーブルを有する画像処理装置であって、前記第１の表色系で示された入力画像データを前記第２の表色系で示された入力画像データに変換し、前記第２の表色系で示された入力画像データを構成する各画素の色材量データに対して、階調補正ＬＵＴを用いて階調補正処理を行う第１の階調補正処理手段と、前記第１の階調補正処理手段によって補正された前記第１の階調補正処理の後の色材量データと色材量の制限値とを比較する比較手段と、前記比較手段による比較の結果、前記第１の階調補正処理後の色材量データが前記制限値よりも大きい場合、前記色材量データが該制限値以下になるように前記色材量データを削減する制御手段と、前記制御手段によって削減された色材量データに対して、前記階調補正ＬＵＴの逆特性を持つＬＵＴを用いて階調補正処理を行う第２の階調補正処理手段と、前記第２の階調補正処理手段によって補正された階調補正処理後の色材量データを用いて、前記色変換テーブルを更新する更新手段とを有することを特徴とする画像処理装置にある。
【手続補正５】
【補正対象書類名】明細書
【補正対象項目名】００１１
【補正方法】削除
【補正の内容】